(57)【要約】【課題】省電力常灯表示における多色表示を実現しつつ、低電力化が可能な表示装置を提供する。【解決手段】表示装置は、画像表示パネルと、画像表示パネルを駆動する駆動部と、を備え、映像信号の階調数で表示を行う第１表示モードと、映像信号の階調数よりも小さく、２階調よりも大きい低階調で表示を行う第２表示モードと、を有する。駆動部は、第１表示モードにおいて、列方向に並ぶ各画素に供給する信号をそれぞれ増幅する複数の第１増幅器と、第２表示モードにおいて、表示する階調数に応じた複数種の電圧が１水平周期内で時分割された階調信号を増幅する、第１増幅器よりも少ない第２増幅器と、第１増幅器の出力と第２増幅器の出力とを切り換えて、信号線に出力する切換部と、を備える。【選択図】図２
2019070797.tif 000002
【特許請求の範囲】
【請求項１】
それぞれ異なる色を表示する複数の副画素を有し、マトリクス状に配置された複数の画素、行方向に並ぶ前記各副画素に接続される複数の走査線、及び列方向に並ぶ前記各副画素に接続される複数の信号線を備えた画像表示パネルと、
所定の階調数の映像信号が供給され、前記画像表示パネルを駆動する駆動部と、
を備え、
前記映像信号の階調数で表示を行う第１表示モードと、
前記映像信号の階調数よりも小さく、２階調よりも大きい低階調で表示を行う第２表示モードと、
を有し、
前記駆動部は、
前記第１表示モードにおいて、列方向に並ぶ前記各画素に供給する信号をそれぞれ増幅する複数の第１増幅器と、
前記第２表示モードにおいて、表示する階調数に応じた複数種の電圧が１水平周期内で時分割された階調信号を増幅する、前記第１増幅器よりも少ない第２増幅器と、
前記第１増幅器の出力と前記第２増幅器の出力とを切り換えて、前記信号線に出力する切換部と、
を備える
表示装置。
【請求項２】
前記切換部は、
前記第１表示モードにおいて前記第１増幅器の出力に切り換え、
前記第２表示モードにおいて前記第２増幅器の出力に切り換え、
前記駆動部は、
前記映像信号に応じて、前記第２増幅器の出力タイミングを制御する出力タイミング制御部を備える
請求項１に記載の表示装置。
【請求項３】
前記駆動部は、
少なくとも前記第１増幅器に電力を供給する電力供給回路を備え、
前記電力供給回路は、
前記第２表示モードにおいて、前記第１増幅器への電力供給を停止する
請求項１又は請求項２に記載の表示装置。
【請求項４】
前記駆動部は、
画像表示を行う際のタイミング制御の基準となるメインクロック信号を生成する基準クロック生成部を備え、
前記基準クロック生成部は、
前記第２表示モードで画像表示を行う場合のメインクロック信号の周波数を、前記第１表示モードで画像表示を行う場合のメインクロック信号の周波数よりも遅くする
請求項１から請求項３の何れか一項に記載の表示装置。
【請求項５】
前記駆動部は、
前記画像表示パネルの走査方向の所定範囲内の領域を、前記第２表示モードにおいて前記映像信号の画像を表示するアクティブ領域とし、前記アクティブ領域の外側の領域を、前記第２表示モードにおいて全黒画像を表示する非アクティブ領域とする
請求項１から請求項４の何れか一項に記載の表示装置。
【請求項６】
前記駆動部は、
前記アクティブ領域を走査するアクティブ期間の水平周期を、前記非アクティブ領域を走査する非アクティブ期間の水平周期よりも長くする
請求項５に記載の表示装置。
【請求項７】
前記駆動部は、
前記アクティブ期間と前記非アクティブ期間との合計期間が１フレーム期間以上となる場合に、１フレーム分の画像を複数のサブフレームに時分割して表示する
請求項６に記載の表示装置。
【請求項８】
前記駆動部は、
１フレーム分の画像を複数の前記サブフレームに時分割して表示する際、前記アクティブ期間を設ける少なくとも１つの第１サブフレームと、前記非アクティブ期間を設ける１つの第２サブフレームとに時分割する
請求項７に記載の表示装置。
【請求項９】
前記第１サブフレーム及び前記第２サブフレームには、前記第２増幅器の出力を停止して水平走査を行うダミー期間が設けられる
請求項８に記載の表示装置。
【請求項１０】
前記駆動部は、
前記第１サブフレームと前記第２サブフレームとの合計数が奇数である場合に、前記各サブフレーム毎に、前記各画素に供給する信号の極性を反転させ、
前記第１サブフレームと前記第２サブフレームとの合計数が偶数である場合に、前記第１サブフレーム間の遷移、及び前記第２サブフレームから前記第１サブフレームに遷移する際には前記各画素に供給する信号の極性を反転させ、前記第１サブフレームから前記第２サブフレームに遷移する際には前記各画素に供給する信号の極性を反転させない
請求項８又は請求項９に記載の表示装置。
【請求項１１】
前記各画素に供給する信号の極性をフレーム単位で反転させる表示装置であって、
前記駆動部は、
２フレーム毎に、前記走査線の走査方向を反転させる
請求項１から請求項１０の何れか一項に記載の表示装置。
【請求項１２】
マトリクス状に配置された複数の画素、行方向に並ぶ前記各画素に接続される複数の走査線、及び列方向に並ぶ前記各画素に接続される複数の信号線を備えた画像表示パネルと、
所定の階調数の映像信号が供給され、前記画像表示パネルを駆動する駆動部と、
を備え、
前記映像信号の階調数で表示を行う第１表示モードと、
前記映像信号の階調数よりも小さく、２階調よりも大きい低階調で表示を行う第２表示モードと、
を有し、
前記駆動部は、
前記第１表示モードにおいて、列方向に並ぶ前記各画素に第１の諧調の信号を供給し、
前記第２表示モードにおいて、前記第１の諧調よりも少ない第２の諧調の信号を供給する
表示装置。
【発明の詳細な説明】
【技術分野】
【０００１】
本開示は、表示装置に関する。
【背景技術】
【０００２】
スマートフォン端末やウェアラブル端末等のバッテリー駆動の携帯型情報端末装置においては、電力消費を抑制しつつ、時刻、日付、カレンダー、着信状況等の所定の情報を常時表示させる機能（以下、「省電力常灯表示」と称する）が普及している。一方で、このような携帯型情報端末装置では、より低電力駆動が可能な表示装置が望まれている。例えば、下記特許文献１には、低周波数駆動により映像を表示させることが開示されている。
【先行技術文献】
【特許文献】
【０００３】
【特許文献１】特開２０１７−４０９０８号公報
【発明の概要】
【発明が解決しようとする課題】
【０００４】
省電力常灯表示における低電力化のため、例えば、画像データの各色（赤、緑、青）の最上位ビットを用いて８色表示を行うことが可能であるが、省電力常灯表示においても色表現数の増加が望まれている。
【０００５】
本開示は、省電力常灯表示における多色表示を実現しつつ、低電力化が可能な表示装置を提供することを目的とする。
【課題を解決するための手段】
【０００６】
本開示の一態様に係る表示装置は、それぞれ異なる色を表示する複数の副画素を有し、マトリクス状に配置された複数の画素、行方向に並ぶ前記各副画素に接続される複数の走査線、及び列方向に並ぶ前記各副画素に接続される複数の信号線を備えた画像表示パネルと、所定の階調数の映像信号が供給され、前記画像表示パネルを駆動する駆動部と、を備え、前記映像信号の階調数で表示を行う第１表示モードと、前記映像信号の階調数よりも小さく、２階調よりも大きい低階調で表示を行う第２表示モードと、を有し、前記駆動部は、前記第１表示モードにおいて、列方向に並ぶ前記各画素に供給する信号をそれぞれ増幅する複数の第１増幅器と、前記第２表示モードにおいて、表示する階調数に応じた複数種の電圧が１水平周期内で時分割された階調信号を増幅する、前記第１増幅器よりも少ない第２増幅器と、前記第１増幅器の出力と前記第２増幅器の出力とを切り換えて、前記信号線に出力する切換部と、を備える。
【０００７】
また、本開示の一態様に係る表示装置は、マトリクス状に配置された複数の画素、行方向に並ぶ前記各画素に接続される複数の走査線、及び列方向に並ぶ前記各画素に接続される複数の信号線を備えた画像表示パネルと、所定の階調数の映像信号が供給され、前記画像表示パネルを駆動する駆動部と、を備え、前記映像信号の階調数で表示を行う第１表示モードと、前記映像信号の階調数よりも小さく、２階調よりも大きい低階調で表示を行う第２表示モードと、を有し、前記駆動部は、前記第１表示モードにおいて、列方向に並ぶ前記各画素に第１の諧調の信号を供給し、前記第２表示モードにおいて、前記第１の諧調よりも少ない第２の諧調の信号を供給する。
【図面の簡単な説明】
【０００８】
【図１】図１は、実施形態に係る表示装置の一構成例を示す図である。
【図２】図２は、実施形態に係る表示装置の信号出力回路の内部ブロック構成の一例を示す図である。
【図３】図３は、タイミング制御部の一構成例を示す図である。
【図４】図４は、各信号のタイミングチャートである。
【図５】図５は、第１表示モードで表示する２４ｂｉｔｓ信号と第２表示モードで表示する６ｂｉｔｓ信号とを示す図である。
【図６】図６は、第２表示モードで表示する際の階調数に応じた複数種の電圧を出力するためのＤ／Ａ変換部の内部構成の一例を示す図である。
【図７】図７は、第１切換部の一例を示す図である。
【図８】図８は、第２切換部の一例を示す図である。
【図９Ａ】図９Ａは、第３切換部の一例を示す図である。
【図９Ｂ】図９Ｂは、第２表示モードにおける第３切換部の出力タイミングチャートの一例を示す図である。
【図１０】図１０は、第４切換部の一例を示す図である。
【図１１】図１１は、第５切換部の一例を示す図である。
【図１２】図１２は、第２表示モードにおいて画像表示が行われる領域の一例を示す図である。
【図１３】図１３は、第２表示モードで表示する際の各期間のフレーム単位での割り当ての第１例を示す図である。
【図１４】図１４は、第２表示モードで表示する際の各期間のフレーム単位での割り当ての第２例を示す図である。
【図１５】図１５は、第２表示モードで表示する際の各期間のフレーム単位での割り当ての第３例を示す図である。
【図１６】図１６は、第２表示モードで表示する際の各期間のフレーム単位での割り当ての第４例を示す図である。
【図１７】図１７は、第２表示モードで表示する際の各期間のフレーム単位での割り当ての第５例を示す図である。
【図１８Ａ】図１８Ａは、表示装置において、第１サブフレームと第２サブフレームとの合計数が２、すなわち、１つの第１サブフレームと１つの第２サブフレームとで１フレーム分の画像表示を行う例を示す図である。
【図１８Ｂ】図１８Ｂは、実施形態に係る表示装置において、第１サブフレームと第２サブフレームとの合計数が２、すなわち、１つの第１サブフレームと１つの第２サブフレームとで１フレーム分の画像表示を行う例を示す図である。
【図１９】図１９は、実施形態に係る表示装置において、第１サブフレームと第２サブフレームとの合計数が３、すなわち、２つの第１サブフレームと１つの第２サブフレームとで１フレーム分の画像表示を行う例を示す図である。
【図２０Ａ】図２０Ａは、表示装置において、第１サブフレームと第２サブフレームとの合計数が４、すなわち、３つの第１サブフレームと１つの第２サブフレームとで１フレーム分の画像表示を行う例を示す図である。
【図２０Ｂ】図２０Ｂは、実施形態に係る表示装置において、第１サブフレームと第２サブフレームとの合計数が４、すなわち、３つの第１サブフレームと１つの第２サブフレームとで１フレーム分の画像表示を行う例を示す図である。
【図２１】図２１は、表示装置において、同一の信号線に接続され、アクティブ領域の上部及び下部に位置する２つの副画素における保持電圧の遷移を示す図である。
【図２２】図２２は、実施形態に係る表示装置において、同一の信号線に接続され、アクティブ領域の上部及び下部に位置する２つの副画素における保持電圧の遷移を示す図である。
【図２３】図２３は、副画素の保持電圧が＋５Ｖであり、信号線の電位が＋５Ｖである場合のリーク電流の大きさを示す図である。
【図２４】図２４は、副画素の保持電圧が＋５Ｖであり、信号線の電位が−５Ｖである場合のリーク電流の大きさを示す図である。
【図２５】図２５は、データ保持部に格納されたデータを読み出す方向を反転させる具体例を示す図である。
【発明を実施するための形態】
【０００９】
以下、開示を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、開示の主旨を保っての適宜変更について容易に想到し得るものについては、当然に本開示の範囲に含有されるものである。また、図面は説明をより明確にするため、実際の態様に比べ、各部の幅、厚さ、形状等について模式的に表される場合があるが、あくまで一例であって、本開示の解釈を限定するものではない。また、本明細書と各図において、既出の図に関して前述したものと同様の要素には、同一の符号を付して、詳細な説明を適宜省略することがある。
【００１０】
図１は、実施形態に係る表示装置の一構成例を示す図である。
【００１１】
実施形態に係る表示装置１００は、例えば表示装置１００が搭載される電子機器の電源回路２００から各種電源電圧が印加され、例えば電子機器のホストプロセッサである制御回路３００から出力された出力信号に基づいて画像表示を行う。表示装置１００が搭載される電子機器としては、例えば、スマートフォン等の情報端末機器を含む。
【００１２】
図１に示す例において、表示装置１００は、例えば透過型あるいは反射型の液晶表示装置であって、カラー液晶表示パネルである画像表示パネル１０と、画像表示パネル駆動部２０と、画像表示パネル駆動部２０と接続され、この画像表示パネル駆動部２０に与える電源電圧を生成する電源回路２００と、を備えている。
【００１３】
制御回路３００は、本実施形態に係る表示装置１００の動作を制御する演算処理部である。制御回路３００は、画像表示パネル駆動部２０と接続されている。
【００１４】
画像表示パネル１０は、複数の画素ＰＸがマトリクス配置されて表示領域１１が構成される。図１に示す例では、画像表示パネル１０は、ｍ×ｎ個（行方向にｍ個、列方向にｎ個）の画素ＰＸが２次元のマトリクス状に配列されている。図１に示す例では、ＸＹの２次元座標系に複数の画素ＰＸがマトリクス状に配列されている例を示している。この例において、行方向がＸ方向、列方向がＹ方向である。以下、Ｘ方向（行方向）に並ぶ画素ＰＸを「画素行」、Ｙ方向（列方向）に並ぶ画素ＰＸを「画素列」という。
【００１５】
ｍ×ｎ個の画素ＰＸの各々は、第１副画素Ｒｐｉｘと、第２副画素Ｇｐｉｘと、第３副画素Ｂｐｉｘとを含む。第１副画素Ｒｐｉｘは、第１色（例えば、赤色）を表示する。第２副画素Ｇｐｉｘは、第２色（例えば、緑色）を表示する。第３副画素Ｂｐｉｘは、第３色（例えば、青色）を表示する。第１色、第２色及び第３色は、赤色、緑色及び青色に限られず、補色などでもよく、互いに色が異なっていればよい。以下の説明では、第１副画素Ｒｐｉｘと、第２副画素Ｇｐｉｘと、第３副画素Ｂｐｉｘとをそれぞれ区別する必要がない場合、第１副画素Ｒｐｉｘ、第２副画素Ｇｐｉｘ、及び第３副画素Ｂｐｉｘを副画素ＳＰｉｘと称する。なお、本実施形態では、画素ＰＸに含まれる複数の副画素ＳＰｉｘは、Ｒ（赤）、Ｇ（緑）及びＢ（青）の３個とするが、本開示はこれに限定されない。画素ＰＸに含まれる複数の副画素ＳＰｉｘは、Ｒ（赤）、Ｇ（緑）及びＢ（青）にＷ（白）を加えた４個であっても良いし、色が異なる５個以上であっても良い。
【００１６】
各副画素ＳＰｉｘは、画素トランジスタ（例えば、薄膜トランジスタ（ＴＦＴ；Ｔｈｉｎ  Ｆｉｌｍ  Ｔｒａｎｓｉｓｔｏｒ））ＴＲ及び画素容量ＣＳを含む。
【００１７】
本実施形態では、１つの画素ＰＸに含まれる副画素ＳＰｉｘが３個であるので、表示領域１１内には、ｍ×ｎ×３個の副画素ＳＰｉｘが配置されていることになる。また、本実施形態では、ｍ×ｎ個の画素ＰＸの各々の３個の副画素ＳＰｉｘがＸ方向（行方向）に配置されているので、ｍ×ｎ個の画素ＰＸの１つの行には、ｍ×３個の副画素ＳＰｉｘが配置されていることになる。
【００１８】
画像表示パネル駆動部２０は、信号出力回路２１及び走査駆動回路２２を備えている。
【００１９】
画像表示パネル駆動部２０は、信号出力回路２１によって映像信号を保持し、順次、画像表示パネル１０に出力する。信号出力回路２１は、信号線ＤＴＬによって画像表示パネル１０と電気的に接続され、各副画素ＳＰｉｘに書き込む副画素信号ＳＩＧ（１）Ｒ，ＳＩＧ（１）Ｇ，ＳＩＧ（１）Ｂ，ＳＩＧ（２）Ｒ，・・・，ＳＩＧ（ｍ）Ｂを伝送する。各副画素信号ＳＩＧ（１）Ｒ，ＳＩＧ（１）Ｇ，ＳＩＧ（１）Ｂ，ＳＩＧ（２）Ｒ，・・・，ＳＩＧ（ｍ）Ｂは、それぞれ各画素列の各副画素ＳＰｉｘの画素トランジスタＴＲのソースに供給される。
【００２０】
なお、本実施形態では、各画素列に対する１つの画素信号を時分割して各副画素信号を伝送する構成としている。
【００２１】
また、本実施形態に係る表示装置１００では、各画素ＰＸに供給する信号の極性をフレーム単位で反転させて画像表示パネル１０を駆動する反転駆動方式を用いた構成を例示する。なお、以下の説明では、フレーム単位で画素列毎に互い違いに正極と負極とを反転させる構成を例示しているが、反転駆動方式はこれに限るものではなく、例えば、フレーム単位で全画面のサブ画素を一度に同じ極性で反転させる方式であっても良いし、共通電極ＶＣＯＭには一定の直流電圧である直流共通電圧ＶｃｏｍＤＣを印加し、所定本数の信号線ＤＴＬ毎に極性を反転させ、且つ、各信号線ＤＴＬ毎の極性をフレーム単位で反転させるカラム反転駆動方式であっても良い。反転駆動方式の差異により本開示が限定されるものではない。
【００２２】
画像表示パネル駆動部２０は、例えばシフトレジスタ等で構成される走査駆動回路２２によって、各画素行を選択し、各副画素ＳＰｉｘの画素トランジスタＴＲのオン及びオフを制御する。走査駆動回路２２は、走査線ＳＣＬによって画像表示パネル１０と電気的に接続され、走査信号ＧＡＴＥ（１），ＧＡＴＥ（２），ＧＡＴＥ（３），ＧＡＴＥ（４），・・・，ＧＡＴＥ（ｎ）を伝送する。各走査信号ＧＡＴＥ（１），ＧＡＴＥ（２），ＧＡＴＥ（３），ＧＡＴＥ（４），・・・，ＧＡＴＥ（ｎ）は、それぞれ各画素行の各副画素ＳＰｉｘの画素トランジスタＴＲのゲートに供給される。
【００２３】
本実施形態では、上記のように構成された表示装置１００において、制御回路３００から出力される映像信号（例えば、赤、緑、青の各色８ｂｉｔｓ×３の２４ｂｉｔｓ信号）の階調数（例えば、赤、緑、青の各色２５６階調）で多色表示（例えば１６７７万色）を行う第１表示モードと、この第１表示モードよりも表示する色数を限定した表示を行う第２表示モードとを設け、これら２つの表示モードを動的に切り替え可能とする。本実施形態では、第２表示モードで表示する際には、映像信号の階調数よりも小さく、２階調よりも大きい低階調（例えば、赤、緑、青の各色８ｂｉｔｓの上位２ｂｉｔｓを用いた各色４階調の６ｂｉｔｓ信号）で表示を行う。
【００２４】
図２は、実施形態に係る表示装置の信号出力回路の内部ブロック構成の一例を示す図である。
【００２５】
信号出力回路２１には、制御回路３００から映像信号ＰＳＩＧとモード切替信号ＭＯＤＥが入力され、モード切替信号ＭＯＤＥによって選択された表示モード、すなわち、第１表示モードＭＯＤＥ１又は第２表示モードＭＯＤＥ２で、映像信号ＰＳＩＧの画像を画像表示パネル１０の表示領域１１に表示するための処理を行う。
【００２６】
図２に示すように、信号出力回路２１は、データ処理部２０１、エンコード処理部２０２、書き込み制御部２０３、データ保持部２０４、読み出し制御部２０５、デコード処理部２０６、マルチプレクサ（ＭＵＸ）２０７、出力タイミング制御部２０８、Ｄ／Ａ変換部２０９、第１切換部２１０、第１増幅器２１１、第２増幅器２１２、第２切換部２１３、第３切換部２１４、第４切換部２１５、第５切換部２１６、及び電力供給回路２２０を備えている。電力供給回路２２０は、電源電圧生成部２２１、電源スイッチ回路２２２、及び電源制御部２２３を備えている。
【００２７】
電源電圧生成部２２１は、電源回路２００から正極性電圧ＶＤ及び負極性電圧ＶＳが入力され、信号出力回路２１を構成する各構成部に電源電圧を供給する回路である。図２に示す例では、エンコード処理部２０２に供給する電源電圧Ｖｄ１、書き込み制御部２０３に供給する電源電圧Ｖｄ２、デコード処理部２０６に供給する電源電圧Ｖｄ３、第１増幅器２１１に供給する正極性電源電圧Ｖｄ４、及び第１増幅器２１１に供給する負極性電源電圧Ｖｓ４を生成する構成を示したが、他の各構成部に供給する電源電圧を生成する機能も有している。
【００２８】
電源電圧Ｖｄ１、電源電圧Ｖｄ２、電源電圧Ｖｄ３、正極性電源電圧Ｖｄ４、負極性電源電圧Ｖｓ４は、電源スイッチ回路２２２を介してそれぞれエンコード処理部２０２、書き込み制御部２０３、デコード処理部２０６、第１増幅器２１１に供給される。
【００２９】
電源制御部２２３は、モード切替信号ＭＯＤＥに基づいて電源スイッチ回路２２２を制御する回路である。本実施形態では、モード切替信号ＭＯＤＥが第２表示モードＭＯＤＥ２であることを示す場合に、電源スイッチ回路２２２をＯＦＦ制御して、エンコード処理部２０２、書き込み制御部２０３、デコード処理部２０６、第１増幅器２１１への電力供給を停止させる機能を有している。
【００３０】
より具体的に、電源スイッチ回路２２２は、第２表示モードＭＯＤＥ２においてエンコード処理部２０２に供給する電源電圧Ｖｄ１を停止させるスイッチ２２２１、第２表示モードＭＯＤＥ２において書き込み制御部２０３に供給する電源電圧Ｖｄ２を停止させるスイッチ２２２２、第２表示モードＭＯＤＥ２においてデコード処理部２０６に供給する電源電圧Ｖｄ３を停止させるスイッチ２２２３、及び、第２表示モードＭＯＤＥ２において第１増幅器２１１に供給する正極性電源電圧Ｖｄ４及び負極性電源電圧Ｖｓ４をそれぞれ停止させるスイッチ２２２４，２２２５を備えている。
【００３１】
なお、電源電圧Ｖｄ１、電源電圧Ｖｄ２、及び電源電圧Ｖｄ３は、同一の電源電圧であっても良いし、それぞれ異なる電源電圧であっても良い。また、電源電圧Ｖｄ１、電源電圧Ｖｄ２、及び電源電圧Ｖｄ３のうちの何れか２つ、又は３つが同一の電源電圧である場合には、これらを共通の電源出力としても良い。
【００３２】
データ処理部２０１は、画像表示を行う際のタイミング制御を行うタイミング制御部２０１０を備えている。
【００３３】
図３は、タイミング制御部の一構成例を示す図である。図４は、各信号のタイミングチャートである。図３に示すように、タイミング制御部２０１０は、基準クロック生成部２０１１、垂直同期パルス生成部２０１２、水平同期パルス生成部２０１３、走査駆動方向制御部２０１４、極性反転制御部２０１５、色選択信号生成部２０１６、及び電圧選択信号生成部２０１７を備えている。
【００３４】
基準クロック生成部２０１１は、画像表示を行う際のタイミング制御の基準となるメインクロック信号ＭＣＬＫを生成する。
【００３５】
垂直同期パルス生成部２０１２は、メインクロック信号ＭＣＬＫに基づき、画像表示を行う際の垂直同期パルスＶｓｙｎｃを生成する。
【００３６】
水平同期パルス生成部２０１３は、メインクロック信号ＭＣＬＫに基づき、画像表示を行う際の水平同期パルスＨｓｙｎｃを生成する。
【００３７】
走査駆動方向制御部２０１４は、垂直同期パルスＶｓｙｎｃに基づき、走査駆動回路２２による走査線ＳＣＬの走査方向を制御する構成部である。走査駆動方向制御部２０１４は、走査駆動回路２２による走査線ＳＣＬの走査方向を定義した走査方向信号ＶＳＤ＿ＳＥＬを出力する。
【００３８】
極性反転制御部２０１５は、水平同期パルスＨｓｙｎｃに基づき、各画素ＰＸに供給する信号の極性を制御する構成部である。極性反転制御部２０１５は、各画素ＰＸに供給する信号の極性を定義した第１極性信号ＰＯＬ＿ＳＥＬ１及び第２極性信号ＰＯＬ＿ＳＥＬ２を出力する。
【００３９】
色選択信号生成部２０１６は、水平同期パルスＨｓｙｎｃに基づき、図４に示すように、水平期間１Ｈを等間隔で３つの期間に時分割し（１Ｈ／３）、各期間においてそれぞれＯＮ信号となる色選択信号ＳＥＬ＿Ｒ，ＳＥＬ＿Ｇ，ＳＥＬ＿Ｂを生成する。
【００４０】
電圧選択信号生成部２０１７は、図４に示すように、色選択信号ＳＥＬ＿Ｒ，ＳＥＬ＿Ｇ，ＳＥＬ＿ＢのＯＮ期間をそれぞれ等間隔で複数（ここでは、４つ）の期間に時分割し（（１Ｈ／３）／４）、各期間においてそれぞれＯＮ信号となる各電圧選択信号ＣＬＫ＿Ｖ１，ＣＬＫ＿Ｖ２，ＣＬＫ＿Ｖ３，ＣＬＫ＿Ｖ４を生成する。
【００４１】
データ処理部２０１は、制御回路３００から入力された映像信号ＰＳＩＧに基づき、第１表示モードＭＯＤＥ１又は第２表示モードＭＯＤＥ２で表示を行うための処理を行う。
【００４２】
具体的には、データ処理部２０１は、第１表示モードＭＯＤＥ１で表示するための第１の階調の信号である２４ｂｉｔｓ（赤、緑、青の各色８ｂｉｔｓ×３）信号をエンコード処理部２０２に出力する。
【００４３】
また、データ処理部２０１は、第１表示モードＭＯＤＥ１で表示するための２４ｂｉｔｓ信号から、各色の上位２ｂｉｔｓを抽出して、第２表示モードＭＯＤＥ２で表示するための第２の階調の信号である６ｂｉｔｓ（赤、緑、青の各色２ｂｉｔｓ×３）信号を生成し、データ保持部２０４に格納する。
【００４４】
エンコード処理部２０２は、入力された２４ｂｉｔｓ信号の圧縮処理を行う。書き込み制御部２０３は、エンコード処理部２０２によって圧縮された２４ｂｉｔｓ信号をデータ保持部２０４に格納する。
【００４５】
データ保持部２０４は、例えばＳＲＡＭ（Ｓｔａｔｉｃ  Ｒａｎｄｏｍ  Ａｃｃｅｓｓ  Ｍｅｍｏｒｙ）等の半導体メモリである。
【００４６】
データ保持部２０４は、圧縮された２４ｂｉｔｓ信号又は６ｂｉｔｓ信号を一時的に保持する（バッファ）機能を有している。２４ｂｉｔｓ信号又は６ｂｉｔｓ信号は、映像信号ＰＳＩＧのフレーム単位で格納する。
【００４７】
読み出し制御部２０５は、データ保持部２０４に格納された２４ｂｉｔｓ信号又は６ｂｉｔｓ信号の読み出し制御を行う。読み出し制御部２０５によって読み出された２４ｂｉｔｓ信号は、デコード処理部２０６に出力される。
【００４８】
デコード処理部２０６は、入力された２４ｂｉｔｓ信号の伸張処理を行い、圧縮前の２４ｂｉｔｓ信号を復元する。
【００４９】
マルチプレクサ（ＭＵＸ）２０７は、モード切替信号ＭＯＤＥによって第１表示モードＭＯＤＥ１が選択されると、入力Ａから入力される２４ｂｉｔｓ信号を選択して出力する。また、モード切替信号ＭＯＤＥによって第２表示モードが選択されると、入力Ｂから入力される６ｂｉｔｓ信号を選択して出力する。すなわち、マルチプレクサ（ＭＵＸ）２０７は、モード切替信号ＭＯＤＥに応じて、２４ｂｉｔｓ信号又は６ｂｉｔｓ信号が選択的に出力される。
【００５０】
図５は、第１表示モードで表示する２４ｂｉｔｓ信号と第２表示モードで表示する６ｂｉｔｓ信号とを示す図である。
【００５１】
本実施形態では、図５に示すように、第１表示モードＭＯＤＥ１で表示するための２４ｂｉｔｓ信号（第１の階調の信号）における赤、緑、青の各色８ｂｉｔｓの上位２ｂｉｔｓを用いて、第２表示モードＭＯＤＥ２で表示するための６ｂｉｔｓ信号（第２の階調の信号）を生成する。６ｂｉｔｓ信号では、赤、緑、青の各色４階調となり、第１表示モードＭＯＤＥ１における表示色数１６７７万色表示よりも表示色数が少ない６４色表示となるが、図５に示すように、第１表示モードＭＯＤＥ１で表示するための２４ｂｉｔｓ信号の１／４のデータ量となる。このため、第２表示モードＭＯＤＥ２では、エンコード処理部２０２における圧縮処理、及びデコード処理部２０６における伸張処理を省略することができ、第１表示モードＭＯＤＥ１よりもロジック段における低電力化が可能である。
【００５２】
ここで、赤、緑、青の各色２階調で表示する場合には、データ量が６ｂｉｔｓ信号の半分となるが、この場合には、表示色が６ｂｉｔｓ信号における表示色数（６４色表示）の１／８（８色表示）となり、色表現が著しく劣化する。本実施形態では、赤、緑、青の各色８ｂｉｔｓの上位２ｂｉｔｓを用いて、第２表示モードＭＯＤＥ２で表示するための６ｂｉｔｓ信号を生成することで、データ量の削減と低電力化とを実現しつつ、２階調表示よりも多彩な色表現が可能となる。
【００５３】
出力タイミング制御部２０８は、第２表示モードＭＯＤＥ２において、第２表示モードＭＯＤＥ２で表示するための６ｂｉｔｓ信号に基づき、後段の第３切換部２１４における各信号の出力タイミングを制御する構成部である。出力タイミング制御部２０８は、第２表示モードＭＯＤＥ２において各画素列毎の出力タイミングを定義した各出力タイミング切換信号ＳＩＧ＿ＳＥＬ（ｐ）（ｐは、１からｍまでの整数）を出力する。
【００５４】
Ｄ／Ａ変換部２０９は、第１表示モードＭＯＤＥ１で表示するための２４ｂｉｔｓのデジタル信号を、各画素列に供給するアナログ値の各信号ＳＩＧ１Ｐ（ｐ），ＳＩＧ１Ｎ（ｐ＋１）に変換して出力する機能を有している。本実施形態では、上述したように、各画素ＰＸに供給する信号の極性をフレーム単位で反転させる反転駆動方式を用いて画像表示パネル１０を駆動する。すなわち、信号ＳＩＧ１Ｐ（ｐ），ＳＩＧ１Ｎ（ｐ＋１）の数と、行方向に並ぶ画素ＰＸの数とが等しく（具体的には、ｍ個）、且つ、隣り合う画素列に供給される画素信号の極性が異なっている。具体的には、例えば、信号ＳＩＧ１Ｐ（１）の極性と信号ＳＩＧ１Ｎ（２）の極性とは異なり、信号ＳＩＧ１Ｎ（２）の極性と信号ＳＩＧ１Ｐ（３）の極性とは異なっている。
【００５５】
また、Ｄ／Ａ変換部２０９は、第２表示モードＭＯＤＥ２で表示するための６ｂｉｔｓのデジタル信号を、当該デジタル信号の階調数（ここでは、４階調）に応じた複数種の電圧に変換して出力する機能を有している。
【００５６】
図６は、第２表示モードで表示する際の階調数に応じた複数種の電圧を出力するためのＤ／Ａ変換部の内部構成の一例を示す図である。
【００５７】
図６では、正極性電源ＶＤＤと負極性電源ＶＳＳとの間に、直列に抵抗Ｒが接続された抵抗ラダー回路を例示している。本実施形態では、第２表示モードＭＯＤＥ２で表示する際に、赤、緑、青の各色を４階調で表示する必要がある。また、本実施形態では、上述したように、各画素ＰＸに供給する信号の極性をフレーム単位で反転させる反転駆動方式を用いて画像表示パネル１０を駆動する。このため、Ｄ／Ａ変換部２０９は、各抵抗Ｒ間の結節点から、４つの正極性電圧ＶＰ１，ＶＰ２，ＶＰ３，ＶＰ４、及び４つの負極性電圧ＶＮ１，ＶＮ２，ＶＮ３，ＶＮ４を出力する。正極性電圧ＶＰ１と負極性電圧ＶＮ１とは、極性が異なり基準電位（接地電位）からの電位差が略等しい。正極性電圧ＶＰ２と負極性電圧ＶＮ２とは、極性が異なり基準電位（接地電位）からの電位差が略等しい。正極性電圧ＶＰ３と負極性電圧ＶＮ３とは、極性が異なり基準電位（接地電位）からの電位差が略等しい。正極性電圧ＶＰ４と負極性電圧ＶＮ４とは、極性が異なり基準電位（接地電位）からの電位差が略等しい。
【００５８】
なお、第２表示モードで表示する際の階調数に応じた複数種の電圧を出力するためのＤ／Ａ変換部２０９の内部構成は、図６に示す抵抗ラダー回路とは異なる構成であっても良い。
【００５９】
Ｄ／Ａ変換部２０９は、第１表示モードＭＯＤＥ１又は第２表示モードＭＯＤＥ２の如何に依らず、各信号ＳＩＧ１Ｐ（ｐ），ＳＩＧ１Ｎ（ｐ＋１）と、４つの正極性電圧ＶＰ１，ＶＰ２，ＶＰ３，ＶＰ４及び４つの負極性電圧ＶＮ１，ＶＮ２，ＶＮ３，ＶＮ４との双方を出力する構成であっても良い。また、Ｄ／Ａ変換部２０９は、第１表示モードＭＯＤＥ１において、各信号ＳＩＧ１Ｐ（ｐ），ＳＩＧ１Ｎ（ｐ＋１）を出力し、第２表示モードＭＯＤＥ２において、４つの正極性電圧ＶＰ１，ＶＰ２，ＶＰ３，ＶＰ４及び４つの負極性電圧ＶＮ１，ＶＮ２，ＶＮ３，ＶＮ４を出力する構成であっても良い。すなわち、Ｄ／Ａ変換部２０９は、第１表示モードＭＯＤＥ１で表示するための２４ｂｉｔｓ信号と、第２表示モードＭＯＤＥ２で表示するための６ｂｉｔｓ信号とを切り換えて処理する構成であっても良い。
【００６０】
図７は、第１切換部の一例を示す図である。第１切換部２１０は、４つの正極性電圧ＶＰ１，ＶＰ２，ＶＰ３，ＶＰ４、及び４つの負極性電圧ＶＮ１，ＶＮ２，ＶＮ３，ＶＮ４が入力され、図４に示すタイミングで各電圧選択信号ＣＬＫ＿Ｖ１，ＣＬＫ＿Ｖ２，ＣＬＫ＿Ｖ３，ＣＬＫ＿Ｖ４が入力されて各スイッチが切り換えられることで、図４に示す階調信号ＳＩＧ２Ｐ，ＳＩＧ２Ｎが出力される。
【００６１】
第１増幅器２１１は、第１表示モードＭＯＤＥ１において、各画素列に供給する信号ＳＩＧ１Ｐ（ｐ）およびＳＩＧ１Ｎ（ｐ＋１）をそれぞれ増幅し、第１画素信号ＳＩＧ＿ＳＰ（ｐ），ＳＩＧ＿ＳＮ（ｐ＋１）として出力するアンプ回路である。
【００６２】
第２増幅器２１２は、第２表示モードＭＯＤＥ２において、階調信号ＳＩＧ２Ｐ，ＳＩＧ２Ｎを増幅し、階調信号ＳＩＧ＿ＤＰ，ＳＩＧ＿ＤＮとして出力するアンプ回路である。
【００６３】
第１表示モードＭＯＤＥ１で表示を行う際に、各画素列に供給する信号ＳＩＧ１Ｐ（ｐ），ＳＩＧ＿１Ｎ（ｐ＋１）をそれぞれ増幅する第１増幅器２１１は、画素列の数、換言すれば、Ｘ方向（行方向）の解像度に応じた数の第１増幅器２１１が必要となるが、第２表示モードＭＯＤＥ２で表示を行う際に用いる第２増幅器２１２は２つである。すなわち、第２表示モードＭＯＤＥ２で表示を行う際には、画素列の数に相当する第１増幅器２１１への電力供給を停止することが可能であり、第１表示モードＭＯＤＥ１よりもアナログ段における低電力化が可能である。なお、第１表示モードＭＯＤＥ１で表示を行う際に、第２増幅器２１２への電力供給を停止することが可能な構成としても良い。このような構成にすれば、第１表示モードＭＯＤＥ１で表示を行う際の低電力化が可能である。
【００６４】
図８は、第２切換部の一例を示す図である。第２切換部２１３は、モード切替信号ＭＯＤＥ（ＭＯＤＥ１，ＭＯＤＥ２）に応じて、第１増幅器２１１から入力される第１画素信号ＳＩＧ＿ＳＰ（ｑ）（ｑは、ｐのうちの奇数）と第２増幅器２１２から入力される階調信号ＳＩＧ＿ＤＰとを切り換え、第１増幅器２１１から入力される第１画素信号ＳＩＧ＿ＳＮ（ｒ）（ｒは、ｐのうちの偶数）と第２増幅器２１２から入力される階調信号ＳＩＧ＿ＤＮとを切り換える。すなわち、第１表示モードＭＯＤＥ１では、第１画素信号ＳＩＧ＿ＳＰ（１），ＳＩＧ＿ＳＮ（２），ＳＩＧ＿ＳＰ（３），ＳＩＧ＿ＳＮ（４），・・・，ＳＩＧ＿ＳＰ（ｍ−１），ＳＩＧ＿ＳＮ（ｍ）が出力される。第２表示モードＭＯＤＥ２では、第１画素信号ＳＩＧ＿ＳＰ（１），ＳＩＧ＿ＳＰ（３），・・・，ＳＩＧ＿ＳＰ（ｍ−１）に代えて階調信号ＳＩＧ＿ＤＰが出力され、第１画素信号ＳＩＧ＿ＳＮ（２），ＳＩＧ＿ＳＮ（４），・・・，ＳＩＧ＿ＳＮ（ｍ）に代えて階調信号ＳＩＧ＿ＤＮが出力される。図８に示す例では、第１表示モードＭＯＤＥ１における状態を示している。第２表示モードＭＯＤＥ２では、各スイッチのＯＮ／ＯＦＦ制御状態が反転した状態となる。
【００６５】
図９Ａは、第３切換部の一例を示す図である。第３切換部２１４は、第１画素信号ＳＩＧ＿ＳＰ（ｑ），ＳＩＧ＿ＳＮ（ｒ）又は階調信号ＳＩＧ＿ＤＰ，ＳＩＧ＿ＤＮが入力される。第１表示モードＭＯＤＥ１では、モード切替信号ＭＯＤＥ（ＭＯＤＥ１）に応じて、全てのスイッチがＯＮされて第１画素信号ＳＩＧ＿ＳＰ（ｑ），ＳＩＧ＿ＳＮ（ｒ）が出力される。また、第２表示モードＭＯＤＥ２では、出力タイミング制御部２０８から入力された各出力タイミング切換信号ＳＩＧ＿ＳＥＬ（ｐ）に応じて階調信号ＳＩＧ＿ＤＰ，ＳＩＧ＿ＤＮが時分割で切り換えられる。これにより、第２表示モードＭＯＤＥ２において各画素列に印加される電圧が切り換えられ、第２表示モードＭＯＤＥ２で表示する際の画素信号である第２画素信号ＳＩＧ＿ＤＰ（ｑ），ＳＩＧ＿ＤＮ（ｒ）が生成されて出力される。
【００６６】
図９Ｂは、第２表示モードにおける第３切換部の出力タイミングチャートの一例を示す図である。
【００６７】
図９Ｂでは、水平期間１Ｈの赤選択期間（色選択信号ＳＥＬ＿Ｒのハイ期間）において出力タイミング切換信号ＳＩＧ＿ＳＥＬ（１）が入力され、水平期間１Ｈの緑選択期間（色選択信号ＳＥＬ＿Ｇのハイ期間）において出力タイミング切換信号ＳＩＧ＿ＳＥＬ（２）が入力され、水平期間１Ｈの青選択期間（色選択信号ＳＥＬ＿Ｂのハイ期間）において出力タイミング切換信号ＳＩＧ＿ＳＥＬ（３）が入力された例を示している。
【００６８】
図９Ｂに示すように、本実施形態では、水平期間１Ｈの各色選択期間において、さらに、この各色選択期間を４つの期間に時分割した期間（（１Ｈ／３）４）の何れかのタイミングで、出力タイミング制御部２０８から各出力タイミング切換信号ＳＩＧ＿ＳＥＬ（ｐ）が出力される。
【００６９】
図９Ｂに示す例では、赤選択期間（色選択信号ＳＥＬ＿Ｒのハイ期間）において、階調信号ＳＩＧ＿ＤＰが正極性電圧ＶＨＰ１となる（（１Ｈ／３）４）期間に出力タイミング切換信号ＳＩＧ＿ＳＥＬ（１）がＯＮとなることで、波高値ＶＨＰ１の第２画素信号ＳＩＧ＿ＤＰ（１）が出力される。
【００７０】
また、図９Ｂに示す例では、緑選択期間（色選択信号ＳＥＬ＿Ｇのハイ期間）において、階調信号ＳＩＧ＿ＤＮが負極性電圧ＶＬＮ２となる（（１Ｈ／３）４）期間に出力タイミング切換信号ＳＩＧ＿ＳＥＬ（２）がＯＮとなることで、波高値ＶＬＮ２の第２画素信号ＳＩＧ＿ＤＮ（２）が出力される。
【００７１】
また、図９Ｂに示す例では、青選択期間（色選択信号ＳＥＬ＿Ｂのハイ期間）において、階調信号ＳＩＧ＿ＤＰが正極性電圧ＶＨＰ３となる（（１Ｈ／３）４）期間に出力タイミング切換信号ＳＩＧ＿ＳＥＬ（３）がＯＮとなることで、波高値ＶＨＰ３の第２画素信号ＳＩＧ＿ＤＰ（３）が出力される。
【００７２】
このように、本実施形態では、水平期間１Ｈ毎に、階調信号ＳＩＧ＿ＤＰ，ＳＩＧ＿ＤＮを時分割して順次出力することで、第２表示モードＭＯＤＥ２における第３切換部２１４の出力が制御される。すなわち、本実施形態では、第１増幅器２１１よりも少ない第２増幅器２１２から出力される階調信号ＳＩＧ＿ＤＰ，ＳＩＧ＿ＤＮを用いて、第２表示モードＭＯＤＥ２を実現することができる。
【００７３】
図１０は、第４切換部の一例を示す図である。第４切換部２１５は、第１表示モードＭＯＤＥ１において第１画素信号ＳＩＧ＿ＳＰ（ｑ），ＳＩＧ＿ＳＮ（ｒ）が入力され、第２表示モードにおいて第２画素信号ＳＩＧ＿ＤＰ（ｑ），ＳＩＧ＿ＤＮ（ｒ）が入力される。第４切換部２１５は、極性反転制御部２０１５から入力された第１極性信号ＰＯＬ＿ＳＥＬ１及び第２極性信号ＰＯＬ＿ＳＥＬ２に応じて切り換えられる。これにより、第１表示モードＭＯＤＥ１では、正極性の第１画素信号ＳＩＧ＿ＳＰ（ｑ）と、負極性の第１画素信号ＳＩＧ＿ＳＮ（ｒ）とが、第１極性信号ＰＯＬ＿ＳＥＬ１及び第２極性信号ＰＯＬ＿ＳＥＬ２に応じて適切に切り換えられ、画素信号ＳＩＧＰ（ｑ），ＳＩＧＮ（ｒ）として出力される。また、第２表示モードＭＯＤＥ２では、正極性の第２画素信号ＳＩＧ＿ＤＰ（ｑ）と、負極性の第２画素信号ＳＩＧ＿ＤＮ（ｒ）とが、第１極性信号ＰＯＬ＿ＳＥＬ１及び第２極性信号ＰＯＬ＿ＳＥＬ２に応じて適切に切り換えられ、画素信号ＳＩＧＰ（ｑ），ＳＩＧＰ（ｒ）として出力される。図１０に示す例では、第１極性信号ＰＯＬ＿ＳＥＬ１によって各スイッチがＯＮ制御され、第２極性信号ＰＯＬ＿ＳＥＬ２によって各スイッチがＯＦＦ制御された状態を示している。
【００７４】
図１１は、第５切換部の一例を示す図である。本実施形態では、上述したように、各画素列に対する１つの画素信号ＳＩＧＰ（ｑ）（又は画素信号ＳＩＧＮ（ｒ））を時分割して各副画素信号を伝送する構成としている。すなわち、第５切換部２１６では、入力された画素信号ＳＩＧＰ（ｑ）（又は画素信号ＳＩＧＮ（ｒ））が色選択信号生成部２０１６から入力された各色選択信号ＳＥＬ＿Ｒ，ＳＥＬ＿Ｇ，ＳＥＬ＿Ｂによって時分割され、各副画素信号ＳＩＧＰ（ｑ）Ｒ，ＳＩＧＰ（ｑ）Ｇ，ＳＩＧＰ（ｑ）Ｂ（又は各副画素信号ＳＩＧＮ（ｒ）Ｒ，ＳＩＧＮ（ｒ）Ｇ，ＳＩＧＮ（ｒ）Ｂ）が出力される。第５切換部２１６は、例えば画像表示パネル１０上に構成される低温ポリシリコン（ＬＴＰＳ）ＴＦＴやアモルファスシリコン（ａ−Ｓｉ）ＴＦＴを用いた構成であっても良い。
【００７５】
第５切換部２１６から出力された各副画素信号ＳＩＧＰ（ｑ）Ｒ，ＳＩＧＰ（ｑ）Ｇ，ＳＩＧＰ（ｑ）Ｂ（又は各副画素信号ＳＩＧＮ（ｒ）Ｒ，ＳＩＧＮ（ｒ）Ｇ，ＳＩＧＮ（ｒ）Ｂ）は、画像表示パネル１０の信号線ＤＴＬに供給される。
【００７６】
上述した構成において、第２表示モードＭＯＤＥ２で表示する際には、２階調よりも大きい低階調（例えば、赤、緑、青の各色８ｂｉｔｓの上位２ｂｉｔｓを用いた各色４階調の６ｂｉｔｓ信号）で表示を行う。これにより、赤、緑、青の各色２階調で表示する場合よりも多彩な色表現が可能となる。また、第２表示モードＭＯＤＥ２では、第１表示モードＭＯＤＥ１で２４ｂｉｔｓ信号を表示する際に必要なエンコード処理部２０２における圧縮処理、及びデコード処理部２０６における伸張処理を省略することができる。また、第２表示モードＭＯＤＥ２では、第１表示モードＭＯＤＥ１で表示を行う際に必要な第１増幅器２１１への電力供給を停止することができる。このため、表示装置１００が搭載されるスマートフォン等の情報端末機器において、省電力常灯表示機能を実現する際、上述した第２表示モードＭＯＤＥ２を適用することで、省電力常灯表示における多色表示と低電力化との双方を実現することができる。
【００７７】
なお、上述した例では、第２表示モードＭＯＤＥ２で表示する際には、２階調よりも大きい低階調で表示を行う例を示したが、第２表示モードＭＯＤＥ２で表示する際に、赤、緑、青の各色２階調で表示するようにしても良い。
【００７８】
図１２は、第２表示モードにおいて画像表示が行われる領域の一例を示す図である。
【００７９】
本実施形態では、画像表示パネル１０の走査方向の所定範囲内の領域を、第２表示モードＭＯＤＥ２において映像信号ＰＳＩＧの画像を表示するアクティブ領域１２とし、アクティブ領域１２の外側の領域を、第２表示モードＭＯＤＥ２において全黒画像を表示する非アクティブ領域１３とする。図１２に示す例では、アクティブ領域１２の上の領域を第１非アクティブ領域１３ａとし、アクティブ領域１２の下の領域を第２非アクティブ領域１３ｂとしている。また、図１２に示す例では、アクティブ領域１２に属する走査線ＳＣＬの数をＬ１、第１非アクティブ領域１３ａ及び第２非アクティブ領域１３ｂに属する走査線の数をＬ２としている。換言すれば、アクティブ領域１２を走査するアクティブ期間は、Ｌ１の水平周期を有し、非アクティブ領域１３（第１非アクティブ領域１３ａ、第２非アクティブ領域１３ｂ）を走査する非アクティブ期間は、Ｌ２の水平周期を有する。
【００８０】
第１表示モードＭＯＤＥ１で表示する場合、各副画素ＳＰｉｘに副画素信号を印加する期間は、各色選択信号ＳＥＬ＿Ｒ，ＳＥＬ＿Ｇ，ＳＥＬ＿ＢのＯＮ期間と略一致する。各色選択信号ＳＥＬ＿Ｒ，ＳＥＬ＿Ｇ，ＳＥＬ＿ＢのＯＮ期間は、図４に示すように、水平期間１Ｈの１／３の期間となる（１Ｈ／３）。
【００８１】
これに対し、第２表示モードＭＯＤＥ２で表示する場合、各副画素ＳＰｉｘに副画素信号を印加する期間は、各電圧選択信号ＣＬＫ＿Ｖ１，ＣＬＫ＿Ｖ２，ＣＬＫ＿Ｖ３，ＣＬＫ＿Ｖ４のＯＮ期間と略一致する。各電圧選択信号ＣＬＫ＿Ｖ１，ＣＬＫ＿Ｖ２，ＣＬＫ＿Ｖ３，ＣＬＫ＿Ｖ４のＯＮ期間は、図４に示すように、各色選択信号ＳＥＬ＿Ｒ，ＳＥＬ＿Ｇ，ＳＥＬ＿ＢのＯＮ期間（１Ｈ／３）の１／４の期間となる（（１Ｈ／３）／４）。すなわち、第２表示モードＭＯＤＥ２で表示する場合には、各副画素ＳＰｉｘに副画素信号を印加する期間は、第１表示モードＭＯＤＥ１で表示する場合の１／４となり、副画素ＳＰｉｘの画素容量ＣＳをチャージする時間が不十分となる可能性がある。
【００８２】
本実施形態では、図３に示すように、第２表示モードＭＯＤＥ２で表示する場合のメインクロック信号ＭＣＬＫ２の周波数を、第１表示モードＭＯＤＥ１で表示する場合のメインクロック信号ＭＣＬＫ１の周波数よりも遅くする。具体的には、第２表示モードＭＯＤＥ２で表示する場合のメインクロック信号ＭＣＬＫ２の周波数を、第１表示モードＭＯＤＥ１で表示する場合のメインクロック信号ＭＣＬＫ１の周波数の１／２とする。換言すれば、第２表示モードＭＯＤＥ２で表示する場合のメインクロック信号ＭＣＬＫ２の周期を、第１表示モードＭＯＤＥ１で表示する場合のメインクロック信号ＭＣＬＫ１の周期の２倍とする。これにより、第２表示モードＭＯＤＥ２で表示する場合のアクティブ領域１２における画素ＰＸの画素容量ＣＳのチャージ時間は、第１表示モードＭＯＤＥ１で表示する場合の１／２となる。
【００８３】
これに加え、本実施形態では、第２表示モードＭＯＤＥ２で表示する場合には、アクティブ領域１２を走査するアクティブ期間の水平周期を、非アクティブ領域１３（第１非アクティブ領域１３ａ、第２非アクティブ領域１３ｂ）を走査する非アクティブ期間の水平周期よりも長くする。具体的には、第２表示モードＭＯＤＥ２で表示する場合には、アクティブ期間の水平周期を、表示領域１１を走査する全期間の水平周期を均等にした場合の水平周期の２倍とする。このとき、アクティブ期間は、表示領域１１を走査する全期間の水平周期を均等にした場合の２倍となる。また、非アクティブ期間の水平周期を、表示領域１１を走査する全期間の水平周期を均等にした場合の水平周期の１／２とする。このとき、非アクティブ期間は、表示領域１１を走査する全期間の水平周期を均等にした場合の１／２となる。これにより、第２表示モードＭＯＤＥ２で表示する場合のアクティブ領域１２における副画素ＳＰｉｘの画素容量ＣＳのチャージ時間は、第１表示モードＭＯＤＥ１で表示する場合と略一致する。なお、第２表示モードＭＯＤＥ２で表示する場合のアクティブ期間の水平周期は、例えば、表示領域１１を走査する全期間の水平周期を均等にした場合の水平周期の３倍あるいは４倍等であっても良いし、整数倍でなくても良い。第２表示モードＭＯＤＥ２で表示する場合のアクティブ期間の水平周期は、表示領域１１を走査する全期間の水平周期を均等にした場合の水平周期の２倍に限定されるものではない。
【００８４】
図１３は、第２表示モードで表示する際の各期間のフレーム単位での割り当ての第１例を示す図である。図１４は、第２表示モードで表示する際の各期間のフレーム単位での割り当ての第２例を示す図である。図１５は、第２表示モードで表示する際の各期間のフレーム単位での割り当ての第３例を示す図である。図１６は、第２表示モードで表示する際の各期間のフレーム単位での割り当ての第４例を示す図である。図１７は、第２表示モードで表示する際の各期間のフレーム単位での割り当ての第５例を示す図である。図１３から図１７に示す例では、第１非アクティブ領域１３ａを走査する期間を第１非アクティブ期間とし、第２非アクティブ領域１３ｂを走査する期間を第２非アクティブ期間としている。
【００８５】
図１３は、表示領域１１を走査する全期間の水平周期を均等にした場合のアクティブ期間Ａを示す。アクティブ期間Ａが１フレーム期間Ｆの１／３以下である場合には（Ａ≦（１／３）＊Ｆ）、第１非アクティブ期間ＮＡ１／２と、アクティブ期間Ａ＊２と、第２非アクティブ期間ＮＡ２／２との合計期間が１フレーム期間１Ｆ以下となる（Ｆ≧（ＮＡ１／２）＋Ａ＊２＋（ＮＡ２／２））。
【００８６】
また、図１４は、表示領域１１を走査する全期間の水平周期を均等にした場合のアクティブ期間Ａを示す。アクティブ期間Ａが１フレーム期間Ｆの１／３である場合には（Ａ＝（１／３）＊Ｆ）、第１非アクティブ期間ＮＡ１／２と、アクティブ期間Ａ＊２と、第２非アクティブ期間ＮＡ２／２との合計期間が１フレーム期間１Ｆと略一致する（Ｆ＝（ＮＡ１／２）＋Ａ＊２＋（ＮＡ２／２））。
【００８７】
図１３に示すように、第１非アクティブ期間ＮＡ１／２と、アクティブ期間Ａ＊２と、第２非アクティブ期間ＮＡ２／２との合計期間が１フレーム期間１Ｆ以下となる場合には（Ｆ≧（ＮＡ１／２）＋Ａ＊２＋（ＮＡ２／２））、第２非アクティブ期間の後にブランク期間ＢＬを設けても良い。代わりに、第１非アクティブ期間及び第２非アクティブ期間における水平周期を微調整（長く）して、第１非アクティブ期間ＮＡ１／２と、アクティブ期間Ａ＊２と、第２非アクティブ期間ＮＡ２／２との合計期間を、１フレーム期間１Ｆと略一致させるようにしても良い。
【００８８】
一方、図１５は、表示領域１１を走査する全期間の水平周期を均等にした場合のアクティブ期間Ａを示す。アクティブ期間Ａが１フレーム期間Ｆの１／３よりも大きい場合には（（１／３）＊Ｆ＜Ａ≦Ｆ）、第１非アクティブ期間ＮＡ１／２と、アクティブ期間Ａ＊２と、第２非アクティブ期間ＮＡ２／２との合計期間が１フレーム期間１Ｆよりも大きくなる（Ｆ＜（ＮＡ１／２）＋Ａ＊２＋（ＮＡ２／２））。
【００８９】
この場合には、図１５に示すように、１フレーム分の画像を複数のサブフレームに時分割して表示する。具体的には、１フレーム分の画像を、アクティブ期間Ａ＊２を設ける第１サブフレームと、非アクティブ期間（第１非アクティブ期間ＮＡ１／２、第２非アクティブ期間ＮＡ２／２）を設ける第２サブフレームとに時分割する。以下、第１サブフレームと第２サブフレームとを区別する必要がない場合には、単にサブフレームともいう。
【００９０】
図１５に示す例では、画素信号の出力を停止して水平走査を行うダミー期間を設けている。具体的に、第１サブフレームには、第１非アクティブ期間ＮＡ１／２と同数の水平期間を有する第１ダミー期間ＤＭ１と、アクティブ期間Ａ＊２と、第２非アクティブ期間ＮＡ２／２と同数の水平期間を有する第２ダミー期間ＤＭ２とを設けている。
【００９１】
また、第２サブフレームには、第１非アクティブ期間ＮＡ１／２と、アクティブ期間Ａ＊２と同数の水平期間を有する第３ダミー期間ＤＭ３と、第２非アクティブ期間ＮＡ２／２と、ブランク期間ＢＬとを設けている。
【００９２】
また、図１５に示すように、第２非アクティブ期間ＮＡ２／２の後にブランク期間ＢＬを設けても良いし、第３ダミー期間ＤＭ３における水平周期を調整（長く）して、第２サブフレームを、１フレーム期間１Ｆと略一致させるようにしても良い。
【００９３】
第１ダミー期間ＤＭ１、第２ダミー期間ＤＭ２、及び第３ダミー期間ＤＭ３における水平周期は、メインクロック信号ＭＣＬＫの周期で制限される。すなわち、図１５に示した第３例は、メインクロック信号ＭＣＬＫの周期をＬ２（第１非アクティブ期間ＮＡ１／２の水平期間と第２非アクティブ期間ＮＡ２／２の水平期間との合計数）倍した期間と、アクティブ期間Ａ＊２との合計期間が１フレーム期間１Ｆ以下である必要がある（Ｆ≧（ＭＣＬＫ周期）＊Ｌ２＋Ａ＊２）。
【００９４】
メインクロック信号ＭＣＬＫの周期をＬ２（第１非アクティブ期間ＮＡ１／２の水平期間と第２非アクティブ期間ＮＡ２／２の水平期間との合計数）倍した期間と、アクティブ期間Ａ＊２との合計期間が１フレーム期間１Ｆよりも大きい場合には（Ｆ＜（ＭＣＬＫ周期）＊Ｌ２＋Ａ＊２）、図１６に示すように、アクティブ領域１２の画像表示を行うアクティブ期間を時分割した複数のサブアクティブ期間を設け、それぞれのサブアクティブ期間を設ける第１サブフレームを複数設ける。
【００９５】
図１６に示す例では、アクティブ期間Ａ＊２を第１サブアクティブ期間ＳＡ１と第２サブアクティブ期間ＳＡ２とに時分割している。
【００９６】
第１サブフレーム（１）には、第１ダミー期間ＤＭ１と、第１サブアクティブ期間ＳＡ１（＝Ａ＊２−ＳＡ２）と、第２ダミー期間ＤＭ２と、第１ブランク期間ＢＬ１とを設けている。第１ダミー期間ＤＭ１は、第１非アクティブ期間ＮＡ１／２と同数の水平期間を有する。第２ダミー期間ＤＭ２は、第２サブアクティブ期間ＳＡ２の水平期間と第２非アクティブ期間ＮＡ２／２の水平期間との合計数と同数の水平期間を有する。
【００９７】
また、第１サブフレーム（２）には、第３ダミー期間ＤＭ３と、第２サブアクティブ期間ＳＡ２（＝Ａ＊２−ＳＡ１）と、第４ダミー期間ＤＭ４と、第２ブランク期間ＢＬ２とを設けている。第３ダミー期間ＤＭ３は、第１非アクティブ期間ＮＡ１／２の水平期間と第１サブアクティブ期間ＳＡ１の水平期間との合計数と同数の水平期間を有する。第４ダミー期間ＤＭ４は、第２非アクティブ期間ＮＡ２／２と同数の水平期間を有する。
【００９８】
また、第２サブフレームには、第１非アクティブ期間ＮＡ１／２と、アクティブ期間Ａ＊２と同数の水平期間を有する第５ダミー期間ＤＭ５と、第２非アクティブ期間ＮＡ２／２と、第３ブランク期間ＢＬ３とを設けている。
【００９９】
また、図１６に示すように、第２ダミー期間の後に第１ブランク期間ＢＬ１を設けても良いし、第１ダミー期間ＤＭ１及び第２ダミー期間ＤＭ２における水平周期を調整（長く）して、第１サブアクティブ期間ＳＡ１を設ける第１サブフレームを、１フレーム期間１Ｆと略一致させるようにしても良い。
【０１００】
また、図１６に示すように、第４ダミー期間ＤＭ４の後に第２ブランク期間ＢＬ２を設けても良いし、第３ダミー期間ＤＭ３及び第４ダミー期間ＤＭ４における水平周期を調整（長く）して、第２サブアクティブ期間ＳＡ２を設ける第１サブフレームを、１フレーム期間１Ｆと略一致させるようにしても良い。
【０１０１】
また、図１６に示すように、第２非アクティブ期間ＮＡ２／２の後に第３ブランク期間ＢＬ３を設けても良い。代わりに、第５ダミー期間ＤＭ５における水平周期を調整（長く）して、第２サブフレームを、１フレーム期間１Ｆと略一致させるようにしても良い。
【０１０２】
なお、１フレーム分の画像表示を行う際の第１サブフレームの数は、２つに限らず、３つ以上であっても良い。
【０１０３】
図１７に示す例では、アクティブ期間を第１サブアクティブ期間と第２サブアクティブ期間と第３サブアクティブ期間とに時分割した例を示している。各期間の詳細については、図１６に示す例と同様であるので、ここでは説明を省略する。
【０１０４】
図１８Ａは、表示装置において、第１サブフレームと第２サブフレームとの合計数が２、すなわち、１つの第１サブフレームと１つの第２サブフレームとで１フレーム分の画像表示を行う例を示す図である。図１８Ｂは、実施形態に係る表示装置において、第１サブフレームと第２サブフレームとの合計数が２、すなわち、１つの第１サブフレームと１つの第２サブフレームとで１フレーム分の画像表示を行う例を示す図である。図１９は、実施形態に係る表示装置において、第１サブフレームと第２サブフレームとの合計数が３、すなわち、２つの第１サブフレームと１つの第２サブフレームとで１フレーム分の画像表示を行う例を示す図である。図１９に示す例では、１フレーム内に２つの第１サブフレームＳＦ１（１），ＳＦ１（２）が含まれる。図２０Ａは、表示装置において、第１サブフレームと第２サブフレームとの合計数が４、すなわち、３つの第１サブフレームと１つの第２サブフレームとで１フレーム分の画像表示を行う例を示す図である。図２０Ｂは、実施形態に係る表示装置において、第１サブフレームと第２サブフレームとの合計数が４、すなわち、３つの第１サブフレームと１つの第２サブフレームとで１フレーム分の画像表示を行う例を示す図である。図２０Ａ及び図２０Ｂに示す例では、１フレーム内に３つの第１サブフレームＳＦ１（１），ＳＦ１（２），ＳＦ１（３）が含まれる。
【０１０５】
図１８Ａ、図１８Ｂ、図１９、図２０Ａ、及び図２０Ｂに示す例では、相対的に各サブフレーム間で各画素の極性が異なる２つの状態を「＋」と「−」とで示している。
【０１０６】
図１９に示すように、１フレーム分（Ｆ１，Ｆ２，・・・）の表示を行うサブフレームの数が奇数である場合には、各サブフレーム毎に、各画素ＰＸに供給する信号の極性を反転させる。このようにすれば、フレームＦ１とフレームＦ２との間で対応する各第１サブフレームＳＦ１間で、各画素ＰＸに供給する信号の極性が反転する。すなわち、フレーム１における第１サブフレームＳＦ１（１）とフレーム２における第１サブフレームＳＦ１（１）との間、及び、フレームＦ１における第１サブフレームＳＦ１（２）とフレーム２における第１サブフレームＳＦ１（２）との間で、各画素ＰＸに供給する信号の極性が反転する。
【０１０７】
一方、図１８Ａ及び図２０Ａに示すように、１フレーム分（Ｆ１，Ｆ２，・・・）の表示を行うサブフレームの数が偶数である場合に、各サブフレーム毎に、各画素ＰＸに供給する信号の極性を反転させると、フレームＦ１とフレームＦ２との間で対応する各第１サブフレームＳＦ１間、すなわち、フレームＦ１における第１サブフレームＳＦ１（１）とフレームＦ２における第１サブフレームＳＦ１（１）との間、フレームＦ１における第１サブフレームＳＦ１（２）とフレームＦ２における第１サブフレームＳＦ１（２）との間、及び、フレームＦ１における第１サブフレームＳＦ１（３）とフレームＦ２における第１サブフレームＳＦ１（３）との間で、各画素ＰＸに供給する信号の極性が変化しないこととなり、アクティブ領域１２における各画素ＰＸの保持極性が正極性又は負極性に偏り、焼き付き等の画像表示パネル１０の劣化要因となる可能性がある。
【０１０８】
従って、本実施形態では、図１８Ｂ及び図２０Ｂに示すように、１フレーム分（Ｆ１，Ｆ２，・・・）の表示を行うサブフレームの数が偶数である場合には、第１サブフレーム間の遷移、及び第２サブフレームから第１サブフレームに遷移する際には各画素ＰＸに供給する信号の極性を反転させ、第１サブフレームから第２サブフレームに遷移する際には各画素ＰＸに供給する信号の極性を反転させない。このようにすれば、フレームＦ１とフレームＦ２との間で対応する各第１サブフレームＳＦ１間で各画素ＰＸに供給する信号の極性が反転するため、アクティブ領域１２における各画素ＰＸの保持極性の偏りを抑制することができる。
【０１０９】
図２１は、表示装置において、同一の信号線に接続され、アクティブ領域の上部及び下部に位置する２つの副画素における保持電圧の遷移を示す図である。図２２は、実施形態に係る表示装置において、同一の信号線に接続され、アクティブ領域の上部及び下部に位置する２つの副画素における保持電圧の遷移を示す図である。図２１及び図２２に示す例において、上部とは、図１２に示す表示領域１１において相対的に上側となる位置を示し、下部とは、図１２に示す表示領域１１において相対的に下側となる位置を示すものとする。
【０１１０】
図２３は、副画素の保持電圧が＋５Ｖであり、信号線の電位が＋５Ｖである場合のリーク電流の大きさを示す図である。図２４は、副画素の保持電圧が＋５Ｖであり、信号線の電位が−５Ｖである場合のリーク電流の大きさを示す図である。
【０１１１】
図２３及び図２４に示すように、副画素ＳＰｉｘの保持電圧と信号線ＤＴＬとの電位差が大きくなる程、画素容量ＣＳから画素トランジスタＴＲを介して流れるリーク電流ＩＬが大きい。
【０１１２】
アクティブ領域１２の上部に位置する副画素ＳＰｉｘは、信号線ＤＴＬの電位によって書き込みが行われた後も信号線ＤＴＬの電位が維持されるため、１フレーム期間における保持電圧の低下ΔＶが小さい。一方、アクティブ領域１２の下部に位置する副画素ＳＰｉｘは、信号線ＤＴＬの電位によって書き込みが行われた後に信号線ＤＴＬの電位が反転するまでの時間が短く、副画素ＳＰｉｘの保持電圧と信号線ＤＴＬとの電位差が大きい状態が長く維持されるため、１フレーム期間における保持電圧の低下ΔＶが大きい（図２１参照）。
【０１１３】
本実施形態では、上述したように、第２表示モードＭＯＤＥ２で表示する場合のメインクロック信号ＭＣＬＫ２の周波数を、第１表示モードＭＯＤＥ１で表示する場合のメインクロック信号ＭＣＬＫ１の周波数よりも遅くするようにしている。具体的には、第２表示モードＭＯＤＥ２で表示する場合のメインクロック信号ＭＣＬＫ２の周波数を、第１表示モードＭＯＤＥ１で表示する場合のメインクロック信号ＭＣＬＫ１の周波数の１／２とする。このため、第２表示モードＭＯＤＥ２で表示する場合には、第１表示モードＭＯＤＥ１で表示する場合よりも１フレーム期間が長くなる。これに伴い、１フレーム期間における副画素ＳＰｉｘの保持電圧の低下ΔＶは、第１表示モードＭＯＤＥ１で表示する場合よりも大きくなる。特に、アクティブ領域１２の下部に位置する副画素ＳＰｉｘでは、１フレーム期間における保持電圧の低下ΔＶが大きくなる。このため、アクティブ領域１２の下部において、フレーム周期で発生するフリッカが視認され易くなる可能性がある。
【０１１４】
従って、本実施形態では、第２表示モードＭＯＤＥ２で表示する場合には、２フレーム毎に、走査線ＤＴＬの走査方向を反転させる。具体的に、走査駆動回路２２は、タイミング制御部２０１０の走査駆動方向制御部２０１４から出力される走査方向信号ＶＳＤ＿ＳＥＬに基づき、走査線ＳＣＬの走査方向を反転させる。また、読み出し制御部２０５は、走査方向信号ＶＳＤ＿ＳＥＬに基づき、データ保持部２０４から１フレーム分のデータを読み出す方向を反転させる。
【０１１５】
図２５は、データ保持部に格納されたデータを読み出す方向を反転させる具体例を示す図である。
【０１１６】
読み出し制御部２０５は、走査方向信号ＶＳＤ＿ＳＥＬ１が入力されると、ＤＡＴＡ（１）、ＤＡＴＡ（２）、ＤＡＴＡ（３）、ＤＡＴＡ（４）、・・・、ＤＡＴＡ（ｎ）の順で、データ保持部２０４に格納されたデータを読み出す。また、読み出し制御部２０５は、走査方向信号ＶＳＤ＿ＳＥＬ２が入力されると、ＤＡＴＡ（ｎ）、・・・、ＤＡＴＡ（４）、ＤＡＴＡ（３）、ＤＡＴＡ（２）、ＤＡＴＡ（１）の順で、データ保持部２０４に格納されたデータを読み出す（図２５参照）。
【０１１７】
走査駆動回路２２は、走査方向信号ＶＳＤ＿ＳＥＬ１が入力されると、走査信号ＧＡＴＥ（１），ＧＡＴＥ（２），ＧＡＴＥ（３），ＧＡＴＥ（４），・・・，ＧＡＴＥ（ｎ）の順で走査線ＳＣＬに出力する。また、走査駆動回路２２は、走査方向信号ＶＳＤ＿ＳＥＬ２が入力されると、走査信号ＧＡＴＥ（ｎ），・・・，ＧＡＴＥ（４），ＧＡＴＥ（３），ＧＡＴＥ（２），ＧＡＴＥ（１）の順で走査線ＳＣＬに出力する。
【０１１８】
これにより、走査駆動回路２２による走査線ＤＴＬの走査方向と、読み出し制御部２０５によるデータの読み出し方向とが同時に切り替わり、第２表示モードＭＯＤＥ２における画像表示が行われる。この結果として、図２２に示すように、保持電圧の低下が大きくなる頻度が２フレーム毎にアクティブ領域１２の上部と下部とに分散され、フリッカが視認され難くなる。
【０１１９】
以上説明したように、実施形態に係る表示装置１００は、それぞれ異なる色を表示する複数の副画素ＳＰｉｘを有し、マトリクス状に配置された複数の画素ＰＸ、行方向に並ぶ各副画素ＳＰｉｘに接続される複数の走査線ＳＣＬ、及び列方向に並ぶ各副画素ＳＰｉｘに接続される複数の信号ＤＴＬ線を備えた画像表示パネル１０と、所定の階調数の映像信号ＰＳＩＧが供給され、画像表示パネル１０を駆動する画像表示パネル駆動部２０と、を備え、映像信号ＰＳＩＧの階調数で表示を行う第１表示モードＭＯＤＥ１と、映像信号ＰＳＩＧの階調数よりも小さく、２階調よりも大きい低階調で表示を行う第２表示モードＭＯＤＥ２と、を有する。画像表示パネル駆動部２０は、第１表示モードＭＯＤＥ１において、列方向に並ぶ各画素ＰＸに供給する信号をそれぞれ増幅する複数の第１増幅器２１１と、第２表示モードＭＯＤＥ２において、表示する階調数に応じた複数種の電圧が１水平周期内で時分割された階調信号を増幅する、第１増幅器２１１よりも少ない第２増幅器２１２と、第１増幅器２１１の出力と第２増幅器２１２の出力とを切り換えて、信号線ＤＴＬに出力する第２切換部２１３と、を備え、第２表示モードＭＯＤＥ２において、映像信号ＰＳＩＧに応じて、第２増幅器２１２の出力タイミングを制御する。
【０１２０】
すなわち、画像表示パネル駆動部２０は、第１表示モードＭＯＤＥ１において、列方向に並ぶ各画素ＰＸに第１の諧調の信号を供給し、第２表示モードＭＯＤＥ２において、第１の諧調よりも少ない第２の諧調の信号を供給する。
【０１２１】
上述した構成において、第２表示モードＭＯＤＥ２で表示する際には、２階調よりも大きい低階調（例えば、赤、緑、青の各色８ｂｉｔｓの上位２ｂｉｔｓを用いた各色４階調の６ｂｉｔｓ信号）で表示を行う。これにより、赤、緑、青の各色２階調で表示する場合よりも多彩な色表現が可能となる。また、第２表示モードＭＯＤＥ２では、データ量が小さくなるので、圧縮処理、及び伸張処理を省略することができる。また、第２表示モードＭＯＤＥ２では、第１表示モードＭＯＤＥ１で表示を行う際に必要な第１増幅器２１１への電力供給を停止することができる。このため、表示装置１００が搭載されるスマートフォン等の情報端末機器において、省電力常灯表示を実現する際、上述した第２表示モードＭＯＤＥ２を適用することで、省電力常灯表示における多色表示と低電力化との双方を実現することができる。
【０１２２】
また、第２表示モードＭＯＤＥ２で表示する場合のメインクロック信号ＭＣＬＫ２の周波数を、第１表示モードＭＯＤＥ１で表示する場合のメインクロック信号ＭＣＬＫ１の周波数よりも遅くする。具体的には、第２表示モードＭＯＤＥ２で表示する場合のメインクロック信号ＭＣＬＫ２の周波数を、第１表示モードＭＯＤＥ１で表示する場合のメインクロック信号ＭＣＬＫ１の周波数の１／２とする。
【０１２３】
さらに、第２表示モードＭＯＤＥ２で表示する場合には、アクティブ領域１２を走査するアクティブ期間の水平周期を、非アクティブ領域１３（第１非アクティブ領域１３ａ、第２非アクティブ領域１３ｂ）を走査する非アクティブ期間の水平周期よりも長くする。具体的には、第２表示モードＭＯＤＥ２で表示する場合には、アクティブ期間の水平周期を、表示領域１１を走査する全期間の水平周期を均等にした場合の水平周期の２倍とする。
【０１２４】
これにより、第２表示モードＭＯＤＥ２で表示する場合のアクティブ領域１２における副画素ＳＰｉｘの画素容量ＣＳのチャージ時間を確保することができる。
【０１２５】
また、第２表示モードＭＯＤＥ２で表示する場合のメインクロック信号ＭＣＬＫ２の周波数を、第１表示モードＭＯＤＥ１で表示する場合のメインクロック信号ＭＣＬＫ１の周波数よりも遅くすることで、第２表示モードＭＯＤＥ２を用いた省電力常灯表示をより低電力化することができる。
【０１２６】
本実施形態により、省電力常灯表示における多色表示を実現しつつ、低電力化が可能な表示装置１００を提供することができる。
【０１２７】
上述した各実施形態は、各構成要素を適宜組み合わせることが可能である。また、本実施形態において述べた態様によりもたらされる他の作用効果について本明細書記載から明らかなもの、又は当業者において適宜想到し得るものについては、当然に本開示によりもたらされるものと解される。
【符号の説明】
【０１２８】
１０  画像表示パネル
１１  表示領域
１２  アクティブ領域
１３  非アクティブ領域
１３ａ  第１非アクティブ領域
１３ｂ  第２非アクティブ領域
２０  画像表示パネル駆動部
２１  信号出力回路
２２  走査駆動回路
１００  表示装置
２００  電源回路
２０１  データ処理部
２０２  エンコード処理部
２０３  書き込み制御部
２０４  データ保持部
２０５  読み出し制御部
２０６  デコード処理部
２０７  マルチプレクサ（ＭＵＸ）
２０８  出力タイミング制御部
２０９  Ｄ／Ａ変換部
２１０  第１切換部
２１１  第１増幅器
２１２  第２増幅器
２１３  第２切換部
２１４  第３切換部
２１５  第４切換部
２１６  第５切換部
２２０  電力供給回路
２２１  電源電圧生成部
２２２  電源スイッチ回路
２２３  電源制御部
３００  制御回路
２０１０  タイミング制御部
２０１１  基準クロック生成部
２０１２  垂直同期パルス生成部
２０１３  水平同期パルス生成部
２０１４  走査駆動方向制御部
２０１５  極性反転部
２０１６  色選択信号生成部
２０１７  電圧選択信号生成部
２２２１，２２２２，２２２３，２２２４，２２２５  スイッチ
Ｂｐｉｘ  第３副画素
ＣＳ  画素容量
ＤＴＬ  信号線
Ｇｐｉｘ  第２副画素
ＰＸ  画素
Ｒｐｉｘ  第１副画素
ＳＣＬ  走査線
ＳＰｉｘ  副画素
ＴＲ  画素トランジスタ
【図１】
2019070797.tif 000003
【図２】
2019070797.tif 000004
【図３】
2019070797.tif 000005
【図４】
2019070797.tif 000006
【図５】
2019070797.tif 000007
【図６】
2019070797.tif 000008
【図７】
2019070797.tif 000009
【図８】
2019070797.tif 000010
【図９Ａ】
2019070797.tif 000011
【図９Ｂ】
2019070797.tif 000012
【図１０】
2019070797.tif 000013
【図１１】
2019070797.tif 000014
【図１２】
2019070797.tif 000015
【図１３】
2019070797.tif 000016
【図１４】
2019070797.tif 000017
【図１５】
2019070797.tif 000018
【図１６】
2019070797.tif 000019
【図１７】
2019070797.tif 000020
【図１８Ａ】
2019070797.tif 000021
【図１８Ｂ】
2019070797.tif 000022
【図１９】
2019070797.tif 000023
【図２０Ａ】
2019070797.tif 000024
【図２０Ｂ】
2019070797.tif 000025
【図２１】
2019070797.tif 000026
【図２２】
2019070797.tif 000027
【図２３】
2019070797.tif 000028
【図２４】
2019070797.tif 000029
【図２５】
2019070797.tif 000030